(57)【要約】【課題】  フェンスの上棧に沿って取り付けるとき位置決めして容易に取り付けることができ、また防水的にリード線を配線することができる配線モールを提供する。【解決手段】  防犯フェンスの検知ユニット間のリード線を内部に配線する配線モールＡである。モール本体１の上部にフェンス２の上棧２ａに対して位置決めする位置決めリブ３を設ける。モール本体１の上面部の先端側に雨避け庇部４を形成すると共に雨避け庇部４の基部側の内側に嵌め込み固定部５を設ける。モール本体１内にリード線６を収納して受けるリード線受け部７を形成する。モール本体１の開口を覆うことができるカバー体８をモール本体１の下部に折り曲げ可能な屈曲部９を介して一体に設ける。カバー体８の屈曲部９と反対の端部に上記嵌め込み固定部５に嵌め込んで固定できる被嵌め込み固定部１０を設ける。【選択図】        図１
2005102433.tif 000002
【特許請求の範囲】
【請求項１】
防犯フェンスの検知ユニット間のリード線を内部に配線する配線モールであって、モール本体の上部にフェンスの上棧に対して位置決めする位置決めリブを設け、モール本体の上面部の先端側に雨避け庇部を形成すると共に雨避け庇部の基部側の内側に嵌め込み固定部を設け、モール本体内にリード線を収納して受けるリード線受け部を形成し、モール本体の開口を覆うことができるカバー体をモール本体の下部に折り曲げ可能な屈曲部を介して一体に設け、カバー体の屈曲部と反対の端部に上記嵌め込み固定部に嵌め込んで固定できる被嵌め込み固定部を設けたこと特徴とする配線モール。
【請求項２】
雨避け庇部を位置決めリブと平面状に一体に形成したことを特徴とする請求項１記載の配線モール。
【発明の詳細な説明】
【技術分野】
【０００１】
本発明は、防犯フェンスの検知ユニット間のリード線を内部に配線する配線モールに関するものである。
【背景技術】
【０００２】
一般に、住宅外溝のフェンスの防犯手段としては、赤外線を送受信する検知ユニットをフェンスに設置し、侵入者が赤外線を遮断すると警報を発する方式が知られている。この方式のおいて、検知ユニットの取り付け箇所は、フェンスの自由柱（フェンスの面に沿って自由に設置箇所を変えられる柱）が挙げられる。検知ユニットは検知距離に応じて複数個設置され、各検知ユニット間は給電、信号伝達用のリード線で接続される。
【０００３】
従来、このリード線の配線としては、地中埋め込み配線（地中に電線管等を埋設して電線管等にリード線を通す）が一般的であるが、検知ユニットの取り付けられる自由柱は、施工の進行に伴ない位置が変更されることが多く、先行して埋め込み配線することが困難であるという問題がある。また地中から検知ユニットに配線する場合は、地面近傍に分岐箇所があるため「作業がしにくい」、「防水構造が困難である」という問題が想定される。
【０００４】
フェンスの防犯手段の検知ユニットのリード線を通すものでないが、配線を通す配線モールとして内部に配線を通すモール本体とモール本体の開口を覆うカバー体とで構成し、モール本体にカバー体を折り曲げ自在な屈曲部を介して一体に設け、モール本体内に配線を通した後カバー体にて閉塞するようにしたものがある（例えば、特許文献１、特許文献２参照）。
【０００５】
上記のような配線モールにリード線を通して検知ユニットに配線することも考えられるが、この配線モールではフェンスに沿って所定位置に配置したりするのが困難であり、施工性が悪いという問題があり、また屋外のフェンスに沿って取り付けると防水性に問題がある。
【特許文献１】特開２００２−３０５８３５号公報
【特許文献２】特開平９−２４７８２０号公報
【発明の開示】
【発明が解決しようとする課題】
【０００６】
本発明は上記の従来の問題点に鑑みて発明したものであって、地中に埋め込む必要がなくなるためにリード線の配線の手間を簡単にできると共にフェンス施工後にリード線の配線ができて配線間違いを少なくでき、しかもフェンスの上棧に沿って取り付けるとき位置決めして容易に取り付けることができ、また防水的にリード線を配線することができる配線モールを提供することを課題とするものである。
【課題を解決するための手段】
【０００７】
上記課題を解決するために本発明に係る配線モールＡは、防犯フェンスの検知ユニット間のリード線を内部に配線する配線モールであって、モール本体１の上部にフェンス２の上棧２ａに対して位置決めする位置決めリブ３を設け、モール本体１の上面部の先端側に雨避け庇部４を形成すると共に雨避け庇部４の基部側の内側に嵌め込み固定部５を設け、モール本体１内にリード線６を収納して受けるリード線受け部７を形成し、モール本体１の開口を覆うことができるカバー体８をモール本体１の下部に折り曲げ可能な屈曲部９を介して一体に設け、カバー体８の屈曲部９と反対の端部に上記嵌め込み固定部５に嵌め込んで固定できる被嵌め込み固定部１０を設けたこと特徴とする。
【０００８】
上記のように配線モールＡのモール本体１の位置決めリブ３をフェンス２の上棧２ａに沿わせて位置決めして上棧２ａに沿わせて配線モールＡを取り付けることができ、カバー体８を開いた状態でモール本体１内のリード線受け部７内にリード線６を通してカバー体８を閉じて被嵌め込み固定部１０を嵌め込み固定部５に嵌め込むことでカバー体８を閉塞保持できる。このようにフェンス２に沿って配線モールＡを取り付けて配線モールＡにリード線６を通すことにより、地中に埋め込む必要がなくなるために配線の手間を簡単にでき、またフェンス２施工後に配線することが可能になるため、先行配線時に想定される配線の長さ間違いを軽減することができ、また地中配線に比べて高い位置にリード線接続部を設けることができるため、水没の可能性が少なく防水構造を簡素化することができる。またフェンス２の上棧２ａに沿わせて配線モールＡを取り付けるものであっても、位置決めリブ３にて配線モールＡを位置決めして取り付けることができ、配線モールＡの取り付けが容易にできる。またカバー体８を開いてリード線６を通すことができるようになっていてもカバー体８を閉じて被嵌め込み固定部１０を嵌め込み固定部５に嵌め込んでカバー体８を固定したとき雨避け庇部４にて被嵌め込み固定部１０と嵌め込み固定部５との間の嵌め込み部から雨水が内部に浸入するおそれがなく、防水的にリード線６を通すことができる。
【０００９】
また雨避け庇部４を位置決めリブ３と平面状に一体に形成したことを特徴とすることも好ましい。
【発明の効果】
【００１０】
本発明は、地中に埋め込む必要がなくなるために配線の手間を簡単にできるという効果を奏し得るものであり、またフェンス施工後に配線することが可能になるため、先行配線時に想定される配線の長さ間違いを軽減することができるという効果を奏し得るものであり、また地中配線に比べて高い位置にリード線接続部を設けることができるため、水没の可能性が少なく防水構造を簡素化することができるという効果を奏し得るものであり、またフェンスの上棧に沿わせて配線モールを取り付けるものであっても、位置決めリブにて配線モールを位置決めして取り付けることができ、配線モールの取り付けが容易にできるという効果を奏し得るものであり、またカバー体を開いてリード線を通すことができるようになっていてもカバー体を閉じて被嵌め込み固定部を嵌め込み固定部に嵌め込んでカバー体を固定したとき雨避け庇部にて被嵌め込み固定部と嵌め込み固定部との間の嵌め込み部から雨水が内部に浸入するおそれがなく、防水的にリード線を通すことができるという効果を奏し得るものである。
【発明を実施するための最良の形態】
【００１１】
以下、本発明を添付図面に示す実施形態に基いて説明する。フェンス２はアルミニウムのような金属で形成されるものであり、図３に示すように上棧２ａと下棧２ｂとを上下に間隔を隔てて平行に配置し、上棧２ａと下棧２ｂとの間に複数本の縦棧２ｃを配置し、上棧２ａと下棧２ｂと縦棧２ｃを相互に結合して組み立ててある。このフェンス２は建物外構に沿って取り付けられるのであるが、自由柱（フェンス２の面に沿って自由に設置箇所を変えられる柱）と称される支柱１１を基礎部１２の上に立設し、支柱１１にフェンス２が取り付けられる。支柱１１の上端にはフェンス押さえ金具１３が取り付けられ、フェンス押さえ金具１３にて支柱１１の上端とフェンス押さえ金具１３の上端とが面一になるように支柱１１の上端にフェンス２が取り付けられている。複数の支柱１１のうち適宜の支柱１１の上端上には検知ユニットＢが取り付けられており、検知ユニットＢはフェンス２を乗り越えて侵入する侵入者を検知したり、検知を報知したりする機能を持たせてある。
【００１２】
配線モールＡは図１や図２に示すように合成樹脂にて一体に形成されるものであって、モール本体１とカバー体８とで主体が構成されている。モール本体１は上の横片１ａと縦片１ｂとで断面略逆Ｌ字状に形成されており、横片１ａと縦片１ｂとの間の角部には横片１ａが突出する方向と逆方向に突出する位置決めリブ３を全長に亙って設けてある。横片１ａの先端に先端に行く程徐々に下がるように傾斜した雨避け庇部４を全長に亙って設けてあり、この雨避け庇部４の先端と反対の基部側で横片１ａの下面に嵌め込み固定部５を設けてある。嵌め込み固定部５は本例の場合、略コ字状の凸部５ａで形成されている。モール本体１の縦片１ｂには凹条１５を長手方向全長に亙って設けてある。凹条１５の上下にはビス１４を打入するときビス１４をガイドするガイド用リブ１５ａ，１５ｂを設けてある。縦片１ｂの下部には略Ｃ字状のリード線受け部７を横片１ａと対向して長手方向全長に亙るように設けてある。
【００１３】
カバー体８は断面略Ｃ字状に形成されており、カバー体８の基部が縦片１ｂの下端に屈曲部９を介して一体に繋がっている。上記モール本体１やカバー体８が比較的硬質の樹脂にて形成されているのに対し、屈曲部９は軟質樹脂にて形成されている。カバー体８の先端には被嵌め込み固定部１０が設けられている。この被嵌め込み固定部１０は略コ字状の凹部１０ａと係止爪１０ｂとで形成されている。
【００１４】
上記のように構成せる配線モールＡは長尺物であり、自由柱としての支柱１１を立設した間隔に合わせて切断し、フェンス２の上棧２ａに沿わせて取り付けられる。配線モールＡを取り付けるとき、カバー体８が開放されており、位置決め用リブ３を上棧２ａに沿わせることで配線モールＡを位置決めして取り付けられる。配線モールＡを位置決めした状態で凹条１５から上棧２ａまでドリルにて下穴をあけ、下穴を利用してビス１４を打入して上棧２ａに配線モールＡを固定する。ビス１４を打入するとき、ガイド用リブ１５ａ，１５ｂでビス１４をガイドしてビス１４を容易に打入することができる。またドリルで下穴をあける穴あけ作業を減らすため、配線モールＡに一定ピッチで配列された下穴を事前にあけていてもよい。このように配線モールＡを取り付けた状態で、リード線受け部７に沿って検知ユニットＢと接続したリード線６を配線してある。リード線６を配線した状態でカバー体８は閉塞され、嵌め込み固定部５に被嵌め込み固定部１０が嵌め込まれてカバー体８が閉塞保持される。
【００１５】
上記のように自由柱としての支柱１１間に配線モールＡが取り付けられるが、支柱１１の部分では配線モールＡが分断される。そこで支柱１１の部分に図４に示すように連結部材１８を取り付け、連結部材１８にて配線モールＡを連結している。この連結部材１８は樹脂、アルミニウム等の剛性を有する材質により形成され、配線モールＡの端部を覆う配線モール差し込み口１９、支柱１１にビスにて固定するためのビスホール２０を設けてある。この連結部材１８の内部が中空構造に形成されており、リード線６は支柱１１を回り込む状態に配線されている。検知ユニットＢを有する支柱１１の場合は、図５に示すようにリード線６は支柱１１の上を回り込み、検知ユニットＢに配線される。つまり、連結部材１８の上面には穴が設けられており、該穴より検知ユニットＢに通線されるようになっている。フェンス２のコーナの角部では支柱１１が設置されないため、コーナの角部では隣接する配線モールＡの継ぎ目を覆う目隠し部材を使用する。目隠し部材の固定は上棧２ａまたは配線モールＡへのビス止めが挙げられる。
【図面の簡単な説明】
【００１６】
【図１】本発明の実施の形態の一例の配線モールをフェンスの上棧に取り付けた状態を示し、（ａ）はカバー体を開いた状態の断面図、（ｂ）はカバー体を閉じた状態の断面図である。
【００１７】
【図２】図１（ａ）の状態の斜視図である。
【図３】本発明の一例のフェンス全体を示す正面図である。
【図４】（ａ）は同上の連結部材で配線モールを接続した状態の斜視図、（ｂ）は（ａ）の平面図である。
【図５】同上の検知ユニットへの配線を示す正面図である。
【符号の説明】
【００１８】
Ａ  配線モール  
１  モール本体
２  フェンス
２ａ  上棧
３  位置決めリブ
４  雨避け庇部  
５  嵌め込み固定部
６  リード線
７  リード線受け部
８  カバー体
９  屈曲部
１０  被嵌め込み固定部
【図１】
2005102433.tif 000003
【図２】
2005102433.tif 000004
【図３】
2005102433.tif 000005
【図４】
2005102433.tif 000006
【図５】
2005102433.tif 000007